(57)【特許請求の範囲】
【請求項１】
対物レンズを保持するレンズホルダと、
前記レンズホルダに一端側を固定した２対のサスペンションワイヤと、
前記２対のサスペンションワイヤの他端側を固定したサスペンションベースと、
前記サスペンションベースを固定した固定ベースとを備え、
前記レンズホルダを、前記固定ベースに対し、前記２対のサスペンションワイヤを介して揺動可能に構成した光学的ピックアップ装置において、
前記サスペンションベースを、前記固定ベースに固定した基部と、前記２対のサスペンションワイヤを各対毎に固定した１対のワイヤ支持部と、前記１対のワイヤ支持部を連結してなる上辺部と、可撓性を有し前記基部と前記上辺部とを連結する１対の脚部と、より構成し、
前記一対の脚部を、該１対の脚部を仮想延長して交わった仮想交点を通り前記対物レンズの光軸と直交する線と前記光軸との交点が、前記対物レンズの略中心となるよう非平行に形成する一方、
前記上辺部は、その両端部で前記ワイヤ支持部と連接すると共に中央部で前記一対の脚部と連結し、
前記一対のワイヤ支持部と前記固定ベースとの間に間隙を設け、前記ワイヤ支持部を押圧して前記間隙の間隔を可変する可変手段を有する構成にしたことを特徴とする光学的ピックアップ装置。
【発明の詳細な説明】
【０００１】
【発明の属する技術分野】
本発明は、光ディスクや光磁気ディスクに情報信号を記録したり、光ディスクや光磁気ディスクに記録済みの情報信号を再生する光学的ピックアップ装置において、対物レンズから出射した光ビームを光ディスクや光磁気ディスクの信号面に垂直に入射させるためのチルト調整機構を備えた光学的ピックアップ装置に関するものである。
【０００２】
【従来の技術】
一般的に、光ディスクや光磁気ディスク（以下、総称して光ディスクと記す）に情報信号を記録したり、光ディスクに記録済みの情報信号を再生する光学的ピックアップ装置では、対物レンズから出射した書き込み用光ビームあるいは読み出し用光ビームを、光ディスクの信号面に焦点が合った状態で照射させ、且つ、この光ビームを光ディスクのトラック方向に追従させる必要から、対物レンズはその光軸方向であるフォーカス方向と、光ディスクのトラック方向とに揺動可能に支持されている。
【０００３】
この際、光学的ピックアップ装置を構成する各構成部材の組み立て状態などに起因してレンズホルダに取り付けた対物レンズが光ディスクの信号面に対して傾いている場合とか、あるいは、対物レンズに収差がある場合とかにより、対物レンズから出射した光ビームが光ディスクの信号面に垂直に入射しないため、この光ビームが光ディスクの信号面に所定のスポット形状で集光できないので、レンズホルダと一体に対物レンズの傾きを調整する必要があり、この対物レンズの傾きを調整するためのチルト調整機構を光学的ピックアップ装置に備えたものを本出願人は先に特開平９−４４８７９号公報にて提案している。
【０００４】
図３は従来の光学的ピックアップ装置を説明するために分解して示した分解斜視図、
図４は従来の光学的ピックアップ装置の組み立て状態を示した斜視図、
図５は従来の光学的ピックアップ装置において、Ｘ軸チルト機構を模式的に示した図である。
【０００５】
図３及び図４に示した従来の光学的ピックアップ装置は、上記した特開平９−４４８７９号公報に開示されているものである。
【０００６】
図３において、従来の光学的ピックアップ装置１００では、基台となる固定ベース１０１は軟磁性金属材料を用いて剛性のある枠体に一体的に形成されている。この固定ベース１０１の上面１０１ａ上で長手方向前方部位（図示左側）には開口部１０１ｂが幅広く開口されており、この開口部１０１ｂは後述する対物レンズ１０４への光通路となっている。また、固定ベース１０１の上面１０１ａ上で開口部１０１ｂより後方側に長手方向に沿って一対のサスペンションベース支持部１０１ｃ，１０１ｃが互いに対向して上方に向けて突設され、且つ、これら一対のサスペンションベース支持部１０１ｃ，１０１ｃの上部中央部位にはＶ溝１０１ｄ，１０１ｄが形成されており、これらのＶ溝１０１ｄ，１０１ｄに後述のサスペンションベース１１１が支持されるようになっている。また、固定ベース１０１に開口した開口部１０１ｂを挟んで左右内側に立ち上げたヨーク１０１ｅ，１０１ｅと、左右外側に立ち上げた１０１ｆ，１０１ｆとが内側と外側同士で夫々互いに対向している。そして、上記した外側のヨーク１０１ｆ，１０１ｆの内側に一対のマグネット１０２，１０２が固着され、且つ、これら一対のマグネット１０２，１０２も内側のヨーク１０１ｅ，１０１ｅと対向している。
【０００７】
更に、固定ベース１０１の前方に設けた壁１０１ｇと、左右側面に設けた外側のヨーク１０１ｆ，１０１ｆとの間に一対の取付台１０１ｈ，１０１ｈが互いに対向して上方に向けて突設され、且つ、これら一対の取付台１０１ｈ，１０１ｈの上部外側部位には円弧状突起１０１ｉ，１０１ｉが形成されており、これらの円弧状突起１０１ｉ，１０１ｉは固定ベース１０１の回動支点となるものである。そして、上記した円弧状突起１０１ｉ，１０１ｉを、図４に示した移動台Ｉの左右の側面に形成したＶ溝Ｉｖ，Ｉｖ上に載置した時に、固定ベース１０１がＹ軸回りに回動可能に支持されるようになっている。この際、上記したＹ軸は、後述するＸ軸と直交して対物レンズ１０４のレンズ中心を通る線上に設定したものである。
【０００８】
次に、可動部１０３は、対物レンズ１０４と、対物レンズ１０４を取り付けるレンズホルダ１０５と、バランサー１０６と、レンズホルダ１０５の左右の側面に固着させた一対のフォーカシングコイル１０７，１０７と、これらのフォーカシングコイル１０７，１０７の外側に固着させた左右一対のトラッキングコイル１０８，１０８と、レンズホルダ１０５とバランサー１０６との間に設けられて上記各コイル１０７，１０８を結線すると共に上下２対４本の弾性変位自在なサスペンションワイヤ１０９の一端側をハ字状に固着するプリント配線基板１１０（下部側は図示を省略）とで一体的に構成されている。この際、可動部１０３は、固定ベース１０１に開口した開口部１０１ｂの上方に位置し、且つ、レンズホルダ１０５に固着させた左右一対のフォーカシングコイル１０７，１０７を固定ベース１０１から左右内側に立ち上げたヨーク１０１ｅ，１０１ｅ内に挿入している。
【０００９】
次に、固定ベース１０１の後端側に設けた一対のサスペンションベース支持部１０１ｃ，１０１ｃの上方には、上記した可動部１０３を上下２対４本のサスペンションワイヤ１０９を介して揺動自在に支持するためのサスペンションベース１１１が弾性変位自在な樹脂材などを用いて一体的に形成されており、このサスペンションベース１１１は可動部１０３に対して切り離されているものの、サスペンションベース１１１を一対のサスペンションベース支持部１０１ｃ，１０１ｃに固定した時に、上下２対４本のサスペンションワイヤ１０９を介して可動部１０３を揺動自在に支持している。
【００１０】
このサスペンションベース１１１は、幅方向中央部位に矩形状の基部１１１ａが形成され、且つ、この基部１１１ａの長手方向の前後下部に円弧状突起１１１ｂ，（１１１ｂ）が形成されており、こられの円弧状突起１１１ｂ，（１１１ｂ）はサスペンションベース１１１の回動支点となるものである。そして、上記した円弧状突起１１１ｂ，（１１１ｂ）を、固定ベース１０１に設けた一対のサスペンションベース支持部１０１ｃ，１０１ｃに形成したＶ溝１０１ｄ，１０１ｄ上に載置した時に、サスペンションベース１１１がＸ軸回りに回動可能に支持されるようになっている。尚、上記したＸ軸は、対物レンズ１０４のレンズ中心と、サスペンションベース１１１の幅方向中央部位とを結ぶ線上に設定したものである。
【００１１】
また、サスペンションベース１１１に形成した基部１１１ａを挟んで基部１１１ａの前方部位には、ハ字状溝１１１ｃ，１１１ｃ（下部は図示を省略）が上面及び下面に形成されて上下２対４本のサスペンションワイヤ１０９が挿通されている。
【００１２】
また、サスペンションベース１１１に形成した基部１１１ａを挟んで基部１１１ａの後方部位には、基部１１１ａの左右に連設して薄肉のワイヤ支持部１１１ｄ，１１１ｄが形成され、これらのワイヤ支持部１１１ｄ，１１１ｄの上下に形成した上下２対４つのＶ溝１１１ｅに上下２対４本のサスペンションワイヤ１０９の他端側が支持されている。
【００１３】
また、固定ベース１０１の長手方向後方（図示右側）で、サスペンションベース１１１に形成した左右のワイヤ支持部１１１ｄ，１１１ｄの下面近傍の下面と対応した部位に、一対のネジ孔１０１ｊ，１０１ｊが形成されており、これらのネジ孔１０１ｊ，１０１ｊに固定ベース１０１の裏面から調整ネジ１１２，１１２が挿入されようになっている。
【００１４】
そして、可動部１０３を上下２対４本のサスペンションワイヤ１０９によりサスペンションベース１１１に揺動自在に支持した状態で、サスペンションベース１１１の基部１１１１ａに形成した円弧状突起１１１ｂ，（１１１ｂ）を固定ベース１０１のサスペンションベース支持部１０１ｃ，１０１ｃに形成したＶ溝１０１ｄ，１０１ｄ上に載置した後、Ｕ字状に屈曲形勢した板バネ１１３でサスペンションベース１１１の上面と固定ベース１０１の裏面を挟み込み、更に、可動部１０３の上方をレンズカバー１１４で覆うと図４に示した如くに光学的ピックアップ装置１００が組み立てられる。
【００１５】
ここで、板バネ１１３でサスペンションベース１１１の上面と固定ベース１０１の裏面を挟み込こむことによって、サスペンションベース１１１は円弧状突起１１１ｂ，（１１１ｂ）を中心として板バネ１１３が付勢された側に回動する方向に動くが、サスペンションベース１１１の左右に形成したワイヤ支持部１１１ｄ，１１１ｄのいずれか一方のワイヤ支持部１１１ｄの下面近傍の下面を、固定ベース１０１の裏面からネジ孔１０１ｊに挿入した一方の調整ネジ１１２の上端部で押し上げることにより、サスペンションベース１１１は円弧状突起１１１ｂ，（１１１ｂ）を中心としてＸ軸回りの微妙な回動位置を容易に調整（Ｘ軸チルト調整）することができ、このサスペンションベース１１１に支持した可動部１０３も一体となってＸ軸回りに回動する。この際、Ｘ軸チルト調整は、可動部１０３を構成するレンズホルダ１０５と一体に対物レンズ１０４を光ディスクのトラックに対して直交する径方向に傾けることからラジアルチルト調整とも呼称されている。
【００１６】
また、上記した固定ベース１０１は、Ｘ軸と直交するＹ軸回りにも調整（Ｙ軸チルト調整）することもでき、これは前述したように、固定ベース１０１の一対の取付台１０１ｈ，１０１ｈに形成した円弧状突起１０１ｉ，１０１を、図４に示した移動台Ｉの左右の側面に形成したＶ溝Ｉｖ，Ｉｖ上に載置した時に固定ベース１０１をＹ軸回りに回動させている。この際、Ｙ軸チルト調整は、可動部１０３を構成するレンズホルダ１０５と一体に対物レンズ１０４を光ディスクのトラックの接線方向に傾けることからタンジェンシャルチルト調整とも呼称されている。
【００１７】
更に、光学的ピックアップ装置１００のフォーカス制御動作とトラッキング制御動作とを簡略に説明する。
【００１８】
まず、一対のフォーカシングコイル１０７，１０７にフォーカス制御信号が印加されると、固定ベース１０１に設けた２組のヨーク（１０１ｅ，１０１ｅ），（１０１ｆ，１０１ｆ）と、一対のマグネット１０２，１０２とによって形成された磁界によるフォーカス方向（上下方向）の電磁力を受けるので、サスペンションベース１１１を介して４本のサスペンションワイヤ１０９に支持された可動部１０３が上下に揺動し、これにより可動部１０３に取り付けた対物レンズ１０４が光軸方向にフオーカス制御され、対物レンズ１０４からの光スポットが光ディスクの記録トラック上に合焦点される。
【００１９】
また、一対のトラッキングコイル１０８，１０８にトラッキング制御信号が印加されると、固定ベース１０１に設けた２組のヨーク（１０１ｅ，１０１ｅ），（１０１ｆ，１０１ｆ）と、一対のマグネット１０２，１０２とによって形成された磁界によるトラッキング方向（左右方向）の電磁力を受けるので、サスペンションベース１１１を介して４本のサスペンションワイヤ１０９に支持された可動部１０３が左右に揺動し、これにより可動部１０３に取り付けた対物レンズ１０４が光ディスクの記録トラックの径方向にトラッキング制御され、対物レンズ１０４からの光スポットが所望の記録トラックをトレースすることができる。
【００２０】
【発明が解決しようとする課題】
ところで、上記した従来の光学的ピックアップ装置１００では、各構成部材の組み立て状態などに起因してレンズホルダ１０５に取り付けた対物レンズ１０４が光ディスクの信号面に対して傾いている場合とか、あるいは、対物レンズ１０４に収差がある場合とかに対応して、上記したＸ軸チルト調整及びＹ軸チルト調整が可能に構成されているので、対物レンズ１０４から出射した光ビームを光ディスクの信号面に垂直に入射できるものの、とくに、上記したＸ軸チルト調整機構は、固定ベース１０１側とサスペンションベース１１１側とに回動支点部を設けているのでＸ軸チルト調整機構が複雑となり、固定ベース１０１及びサスペンションベース１１１用の金型コストや、部品コストが上昇してしまう。
【００２１】
また、図５（Ａ），（Ｂ）に示した如く、上記したＸ軸チルト調整機構では、サスペンションベース１１１の基部１１１ａに形成した円弧状突起１１１ｂを固定ベース１０１のサスペンションベース支持部１０１ｃに形成したＶ溝１０１ｄ上に載置した状態で、回動支点となる円弧状突起１１１ｂの高さ位置が、固定ベース１０１の上面を基準位置とした時に対物レンズ１０４のレンズ中心Ｏよりも低く設定されているので、図５（Ａ）に示したようにサスペンションベース１１１をＸ軸回りに傾けない場合には何等の支障がないものの、図５（Ｂ）に示したようにサスペンションベース１１１をＸ軸回りに傾けた場合には対物レンズ１０４のレンズ中心Ｏがレンズ中心Ｏ’の位置に移動してしまうため、対物レンズ１０４を理想的なレンズ中心Ｏを中心にして傾けることができないなどの問題が生じている。
【００２２】
【課題を解決するための手段】
本発明は上記課題に鑑みてなされたものであり、対物レンズを保持するレンズホルダと、前記レンズホルダに一端側を固定した２対のサスペンションワイヤと、前記２対のサスペンションワイヤの他端側を固定したサスペンションベースと、  前記サスペンションベースを固定した固定ベースとを備え、  前記レンズホルダを、前記固定ベースに対し、前記２対のサスペンションワイヤを介して揺動可能に構成した光学的ピックアップ装置において、
前記サスペンションベースを、前記固定ベースに固定した基部と、前記２対のサスペンションワイヤを各対毎に固定した１対のワイヤ支持部と、前記１対のワイヤ支持部を連結してなる上辺部と、可撓性を有し前記基部と前記上辺部とを連結する１対の脚部と、より構成し、前記一対の脚部を、該１対の脚部を仮想延長して交わった仮想交点を通り前記対物レンズの光軸と直交する線と前記光軸との交点が、前記対物レンズの略中心となるよう非平行に形成する一方、前記上辺部は、その両端部で前記ワイヤ支持部と連接すると共に中央部で前記一対の脚部と連結し、前記一対のワイヤ支持部と前記固定ベースとの間に間隙を設け、前記ワイヤ支持部を押圧して前記間隙の間隔を可変する可変手段を有する構成にしたことを特徴とする光学的ピックアップ装置である。
【００２４】
【発明の実施の形態】
以下に本発明に係る光学的ピックアップ装置の一実施例を図１及び図２を参照して詳細に説明する。
【００２５】
図１は本発明に係る光学的ピックアップ装置を示した斜視図、
図２は本発明に係る光学的ピックアップ装置において、Ｘ軸チルト機構を模式的に示した図である。
【００２６】
本発明に係る光学的ピックアップ装置では、装置の組み立て状態とか対物レンズの収差などに起因して発生する対物レンズの傾きを、Ｘ軸回り（Ｘ軸チルト）及びＹ軸回り（Ｙ軸チルト）に調整可能に構成した際、とくに、Ｘ軸回り（Ｘ軸チルト）調整を簡単な構造で精度良く確実に行うことができるものである。
【００２７】
図１に示した如く、本発明に係る光学的ピックアップ装置１０では、基台となる固定ベース１１は軟磁性金属材料を用いて剛性のある枠体に一体的に形成されている。この固定ベース１１の上面１１ａ上で長手方向前方部位（図示左側）には開口部１１ｂが幅広く開口されており、この開口部１１ｂは後述する対物レンズ１４への光通路となっている。また、固定ベース１１の図示左端部位と開口部１１ｂを挟んだ上面右中間部位には、一対のヨーク１１ｃ，１１ｃが互いに対向して上方に向かって立ち上げられており、これら一対のヨーク１１ｃ，１１ｃの内側に一対のマグネット１２，１２が互いに対向して固着されている。また、固定ベース１１の図示左方の左右側面に一対の取付台１１ｄ，１１ｄが互いに対向して上方に向けて突設され、且つ、これら一対の取付台１１ｄ，１１ｄの上部外側部位には円弧状突起１１ｅ，１１ｅが形成されており、これらの円弧状突起１１ｅ，１１ｅは固定ベース１１の回動支点となるものである。そして、上記した円弧状突起１１ｅ，１１ｅを移動台Ｉの左右の側面に形成したＶ溝Ｉｖ，Ｉｖ上に載置した時に、固定ベース１１がＹ軸回りに回動可能に支持されるようになっている。この際、上記したＹ軸は、後述するＸ軸と直交して対物レンズ１４のレンズ中心を通る線上に設定したものである。
【００２８】
次に、可動部１３は、対物レンズ１４と、対物レンズ１４を取り付けると共に、左右側面に後述する上下２対４本のサスペンションワイヤ１８の一端側を固着する各ワイヤ支持部１５ａを突出形成したレンズホルダ１５と、レンズホルダ１５に固着させたフォーカシングコイル１６と、このフォーカシングコイル１６の外側に固着させた前後一対のトラッキングコイル１７，１７とで一体的に構成されている。この際、可動部１３は、固定ベース１１の上面１１ａに開口した開口部１１ｂの上方に位置し、且つ、固定ベース１１から前後に立ち上げたヨーク１１ｃ，１１ｃの内側に固着した一対のマグネット１２，１２間に挿入されている。  次に、固定ベース１１の上面１１ａ上で右側のヨーク１１ｃより更に右側には、上記した可動部１３を上下２対４本のサスペンションワイヤ１８を介して揺動自在に支持するためのサスペンションベース１９が設けられており、このサスペンションベース１９は本発明の要部を構成する部材である。
【００２９】
上記したサスペンションベース１９は、弾性変位自在な樹脂平板材を用いて一体的に形成されており、幅方向中央部位に内部を肉抜きした等脚台形部１９ａが形成されている。この等脚台形部１９ａの底辺部１９ａ１は剛性を持って形成されて弾性変形することなく固定ベース１１の上面１１ａ上にＸ軸と直交してネジ又は接着材もしくは焼きばめなどによりに固着されている。また、等脚台形部１９ａの左右の等脚部１９ａ２，１９ａ２は樹脂材の弾性力により可撓性を持って形成され、且つ、左右の等脚部１９ａ２，１９ａ２を上方に仮想的に延長して交じ合わせた仮想交点Ｐが固定ベース１１の上面１１ａを基準にして対物レンズ１４のレンズ中心Ｏ（図２）の高さ位置と略一致するように設定されている。そして、これら左右の等脚部１９ａ２，１９ａ２は後述するようにサスペンションベース１９に上下２対４本のサスペンションワイヤ１８を介して揺動自在に支持した可動部１３を構成するレンズホルダ１５と一体に対物レンズ１４をＸ軸回りに傾ける機能を備えている。この際、上記したＸ軸は、対物レンズ１４のレンズ中心と、サスペンションベース１９の幅方向中央部位とを結ぶ線上に設定したものである。
【００３０】
また、等脚台形部１９ａの上辺部１９ａ３は剛性を持って形成され、更に上辺部１９ａ３に連接して左右にワイヤ支持部１９ｂ，１９ｂが剛性を持って門形状に下方に向かって形成され、これら左右のワイヤ支持部１９ｂ，１９ｂに穿設した各孔１９ｃに上下２対４本のサスペンションワイヤ１８の他端側が固着されている。
【００３１】
また、サスペンションベース１９の左右に形成したワイヤ支持部１９ｂ，１９ｂの下面は固定ベース１１の上面１１ａから離れている。そして、これらのワイヤ支持部１９ｂ，１９ｂの下面の下方で固定ベース１１の上面１１ａの左右には一対のネジ孔１１ｆ，１１ｆが形成されており、これらのネジ孔１１ｆ，１１ｆに固定ベース１１の裏面から調整ネジ２０，２０が挿入されようになっている。
【００３２】
そして、対物レンズ１４を取り付けたレンズホルダ１５を上下２対４本のサスペンションワイヤ１８を介してサスペンションベース１９の幅方向の左右に形成したワイヤ支持部１９ｂ，１９ｂに揺動可能に支持させて、且つ、サスペンションベース１９の幅方向中央部位に内部を肉抜きした等脚台形部１９ａを固定ベース１１上に固着した状態で、サスペンションベース１９の左右に形成したワイヤ支持部１９ｂ，１９ｂのいずれか一方のワイヤ支持部１９ｂの下面を、固定ベース１１の裏面からネジ孔１１ｆに挿入した一方の調整ネジ２０の上端部で押し上げることにより、等脚台形部１９ａの左右の等脚台形部１９ａ２，１９ａ２がＸ軸回りに可撓してレンズホルダ１５と一体に対物レンズ１４を光ディスクに対してＸ軸チルト調整可能となる。この際、前述したと同様に、Ｘ軸チルト調整は、可動部１３を構成するレンズホルダ１５と一体に対物レンズ１４を光ディスクのトラックに対して直交する径方向に傾けることからラジアルチルト調整とも呼称されている。
【００３３】
また、上記した固定ベース１１は、Ｘ軸と直交するＹ軸回りにも調整（Ｙ軸チルト調整）することもでき、これは前述したように、固定ベース１１の一対の取付台１１ｄ，１１ｄに形成した円弧状突起１１ｅ，１１ｅを、移動台Ｉの左右の側面に形成したＶ溝Ｉｖ，Ｉｖ上に載置した時に固定ベース１１をＹ軸回りに回動させている。この際、Ｙ軸チルト調整は、可動部１３を構成するレンズホルダ１５と一体に対物レンズ１４を光ディスクのトラックの接線方向に傾けることからタンジェンシャルチルト調整とも呼称されている。
【００３４】
ここで、本発明の要部となるＸ軸チルト調整機構をより具体的に図２（Ａ），（Ｂ）を用いて説明すると、図２（Ａ）に示した如く、サスペンションベース１９の左右に形成したワイヤ支持部１９ｂ，１９ｂの下面が、固定ベース１１の上面１１ａに対して左右同一高さで且つ平行になるように、固定ベース１１の裏面からネジ孔１１ｆ，１１ｆに挿入した調整ネジ２０，２０の上端部をワイヤ支持部１９ｂ，１９ｂの下面に単に当接させれば、サスペンションベース１９は等脚台形部１９ａの等脚部１９ａ２，１９ａ２がＸ軸回りに傾くことなく、ワイヤ支持部１９ｂ，１９ｂは左右同一高さに保たれる。また、サスペンションベース１９に形成した等脚台形部１９ａの等脚部１９ａ２，１９ａ２を上方に仮想的に延長して交じ合わせた仮想交点Ｐは、固定ベース１１の上面１１ａを基準にして対物レンズ１４のレンズ中心Ｏの高さ位置に略一致している。
【００３５】
一方、図２（Ｂ）に示した如く、サスペンションベース１９の左右に形成したワイヤ支持部１９ｂ，１９ｂのうち一方のワイヤ支持部１９ｂの下面を、一方の調整ネジ２０の上端部で押し上げれば、等脚台形部１９ａの等脚部１９ａ２，１９ａ２がＸ軸回りに可撓するので、レンズホルダ１５と一体に対物レンズ１４を光ディスクに対してＸ軸チルト調整できる。また、サスペンションベース１９に形成した等脚台形部１９ａの等脚部１９ａ２，１９ａ２を上方に仮想的に延長して交じ合わせた仮想交点Ｐは、固定ベース１１の上面１１ａを基準にして対物レンズ１４のレンズ中心Ｏの高さ位置に略一致させているので、対物レンズ１４をレンズ中心Ｏを中心にしてＸ軸回りに精度良く確実に傾けることができる。この際、他方のワイヤ支持部１９ｂの下面に他方の調整ネジ２０の上端部を単に当接させれば、サスペンションベース１９が調整済みの傾きに対して逆方向に傾くことを防止できる。
【００３６】
尚、対物レンズ１４を光ディスクのフォーカス方向及びトラッキング方向に制御する動作は従来と略同じであるので、この実施例での説明を省略する。また、対物レンズ１４を光ディスクのフォーカス方向及びトラッキング方向に制御する場合に実施例ではフォーカシングコイル１６と、一対のトラッキングコイル１７，１７とをレンズホルダ１５に取り付けてムービングコイルタイプに構成したが、マグネットをレンズホルダ１５に取り付けてムービングマグネットタイプに構成する方法もある。
【００３７】
【発明の効果】
以上詳述した本発明に係る光学的ピックアップ装置によると、Ｘ軸チルト調整機構の構造が従来と比べて簡単となり、光学的ピックアップ装置の部品コストを低減できる。また、サスペンションベースに形成した等脚台形部の等脚部を仮想的に延長して交じ合わせ仮想交点を、対物レンズのレンズ中心高さ位置に略一致させたために、対物レンズをレンズ中心を中心にしてＸ軸回りに確実に傾けることができ、光学的ピックアップ装置の品質及び信頼性を向上できる。
【図面の簡単な説明】
【図１】本発明に係る光学的ピックアップ装置を示した斜視図である。
【図２】本発明に係る光学的ピックアップ装置において、Ｘ軸チルト機構を模式的に示した図である。
【図３】従来の光学的ピックアップ装置を説明するために分解して示した分解斜視図である。
【図４】従来の光学的ピックアップ装置の組み立て状態を示した斜視図である。
【図５】従来の光学的ピックアップ装置において、Ｘ軸チルト機構を模式的に示した図である。
【符号の説明】
１０…光学的ピックアップ装置、
１１…固定ベース、
１３…可動部、１４…対物レンズ、１５…レンズホルダ、
１８…サスペンションワイヤ、
１９…サスペンションベース、１９ａ…等脚台形部、１９ａ１…底辺部、
１９ａ２…等脚部、１９ａ３…上辺部、１９ｂ…ワイヤ支持部、
２０…調整ネジ、
Ｏ…対物レンズのレンズ中心、
Ｐ…等脚部１９ａ２，１９ａ２を仮想的に延長して交じ合わせ仮想交点。
【図１】
0003664380.tif 000002
【図２】
0003664380.tif 000003
【図３】
0003664380.tif 000004
【図４】
0003664380.tif 000005
【図５】
0003664380.tif 000006